(57)【要約】【課題】肉眼では確認できない段階の煙であっても、その発生位置を狭い範囲で特定できる煙検知装置を提供すること、又、そのようにできる煙発生位置の特定方法を提供する。【解決手段】移動式の煙検知装置１であって、可撓管３が接続されたサンプリング管４と、サンプリング管４が可撓管３を介して接続され、サンプリング管４を介して吸引した空気中に含まれる煙を検知する吸引式の煙検知装置本体５と、電源部６と、煙検知装置本体５と電源部６とを収納する収納部７と、収納部７に接続されて収納部７を操作者の身体に保持するための保持部８とを備え、煙の発生位置を特定するのに使用される際に予め、前記煙検知装置本体は、防護空間に常時固定の装置として設けられる固定式の煙検知装置における煙検知装置本体の煙の検知感度よりも鈍い煙の検知感度に設定可能であることを特徴とする。 【選択図】図１
2018022536.tif 000002
【特許請求の範囲】
【請求項１】
先端側に空気を吸引するためのサンプリング孔を有し、基端側に可撓管が接続されたサンプリング管と、
前記サンプリング管が前記可撓管を介して接続され、前記サンプリング管を介して吸引した空気中に含まれる煙を検知する吸引式の煙検知装置本体と、
前記煙検知装置本体に電気的に接続されて電源を供給する電源部と、
前記煙検知装置本体と前記電源部とを収納する収納部と、
前記収納部に接続されて前記収納部を操作者の身体に保持するための保持部と、を備え、
煙の発生位置を特定するのに使用される際に予め、前記煙検知装置本体は、防護空間に常時固定の装置として設けられる固定式の煙検知装置における煙検知装置本体の煙の検知感度よりも鈍い煙の検知感度に設定可能であることを特徴とする移動式の煙検知装置。
【請求項２】
前記保持部は、前記収納部の左右にそれぞれ接続され、操作者の左右の肩のそれぞれに前後方向に掛けられる一対のショルダーストラップを含み、前記収納部は、それら一対のショルダーストラップにより操作者の身体前方に保持されることを特徴とする請求項１に記載の移動式の煙検知装置。
【請求項３】
前記保持部は、前記一対のショルダーストラップを操作者の身体の前方及び／又は後方において連結する連結ストラップを更に含むことを特徴とする請求項２に記載の移動式の煙検知装置。
【請求項４】
前記サンプリング管は、操作者が煙検知時に把持する把持部であって、その形状によって操作者に前記サンプリング管の把持方向を一の方向にガイドする把持部を更に有するものであり、前記サンプリング孔が、前記把持部がガイドする前記サンプリング管の把持方向前方に面する側面に設けられていることを特徴とする請求項１乃至３の何れかに記載の移動式の煙検知装置。
【請求項５】
前記サンプリング管は、操作者に気流方向を視認させる手段を更に有するものであることを特徴とする請求項１乃至４の何れかに記載の移動式の煙検知装置。
【請求項６】
前記可撓管は、略Ｌ字状の継手を介して前記煙検知装置本体に接続されるものであることを特徴とする請求項１乃至５の何れかに記載の移動式の煙検知装置。
【請求項７】
検知される煙の量を音声により操作者に報知する手段を更に備えていることを特徴とする請求項１乃至６の何れかに記載の移動式の煙検知装置。
【請求項８】
所定時間の経過を音声により操作者に報知する手段を更に備えていることを特徴とする請求項１乃至７の何れかに記載の移動式の煙検知装置。
【請求項９】
先端側に空気を吸引するためのサンプリング孔を有し、基端側に可撓管が接続されたサンプリング管と、
前記サンプリング管が前記可撓管を介して接続され、前記サンプリング管を介して吸引した空気中に含まれる煙を検知する吸引式の煙検知装置本体と、
前記煙検知装置本体に電気的に接続されて電源を供給する電源部と、
前記煙検知装置本体と前記電源部とを収納する収納部と、
前記収納部に接続されて前記収納部を操作者の身体に保持するための保持部と、を備える、移動式の煙検知装置を使用して煙の発生位置を特定する煙発生位置の特定方法であって、
防護空間に常時固定の装置として設けられる固定式の煙検知装置が煙の発生を検知した後に、その防護空間において前記移動式の煙検知装置を使用して実行される段階として、前記移動式の煙検知装置の前記収納部を保持すると共に前記サンプリング管を把持し、その状態で煙を検知しながら前記移動式の煙検知装置の全体の位置又は前記サンプリング管自体の位置を移動させ、それに基づいて煙の発生位置を特定する段階を含み、
前記煙の発生位置を特定する段階は、前記移動式の煙検知装置における煙検知装置本体の煙の検知感度を前記固定式の煙検知装置における煙検知装置本体の煙の検知感度よりも鈍くして実行されることを特徴とする煙発生位置の特定方法。
【請求項１０】
先端側に空気を吸引するためのサンプリング孔を有し、基端側に可撓管が接続されたサンプリング管と、
前記サンプリング管が前記可撓管を介して接続され、前記サンプリング管を介して吸引した空気中に含まれる煙を検知する吸引式の煙検知装置本体と、
前記煙検知装置本体に電気的に接続されて電源を供給する電源部と、
前記煙検知装置本体と前記電源部とを収納する収納部と、
前記収納部に接続されて前記収納部を操作者の身体に保持するための保持部と、を備え、
煙の発生位置を特定するのに使用される際に予め、前記煙検知装置本体は、防護空間に常時固定の装置として設けられる固定式の煙検知装置における煙検知装置本体の煙の検知感度よりも鈍い煙の検知感度に設定可能である、移動式の煙検知装置を使用して煙の発生位置を特定する煙発生位置の特定方法であって、
防護空間に常時固定の装置として設けられる固定式の煙検知装置が煙の発生を検知した後に、その防護空間において前記移動式の煙検知装置を使用して実行される段階として、前記移動式の煙検知装置の前記収納部を保持すると共に前記サンプリング管を把持し、その状態で煙を検知しながら前記移動式の煙検知装置の全体の位置又は前記サンプリング管自体の位置を移動させ、それに基づいて煙の発生位置を特定する段階を含むことを特徴とする煙発生位置の特定方法。
【請求項１１】
前記煙の発生位置を特定する段階は、予め前記移動式の煙検知装置における煙検知装置本体の煙の検知感度を前記固定式の煙検知装置における煙検知装置本体の煙の検知感度よりも鈍くして実行されることを特徴とする請求項９又は１０に記載の煙発生位置の特定方法。
【請求項１２】
前記煙の発生位置を特定する段階は、前記移動式の煙検知装置の全体の位置又は前記サンプリング管自体の位置を前記サンプリング孔を風上に向けながら移動させて実行されることを特徴とする請求項９乃至１１の何れかに記載の煙発生位置の特定方法。
【請求項１３】
前記煙の発生位置を特定する段階は、前記サンプリング管を把持することにより、その把持方向前方に前記サンプリング孔を向かわせて実行されることを特徴とする請求項９乃至１２の何れかに記載の煙発生位置の特定方法。
【発明の詳細な説明】
【技術分野】
【０００１】
この発明は、防護空間を移動しながら煙を検知する移動式の煙検知装置及びそれを用いた煙発生位置の特定方法に関するものである。
【背景技術】
【０００２】
従来、火災をその予兆段階から検知をするためのものとして、防護空間の空気をサンプリング管を介して吸引し、その空気中に含まれる煙を検知する吸引式の煙検知装置が用いられている。
【０００３】
吸引式の煙検知装置は、具体的には、防護空間の空気を吸引するためのサンプリング管と共に防護空間の天井、壁、床下等に固定して設けられ、サンプリング管を介して吸引した空気中に含まれる煙を光学的に検知するものである（例えば、特許文献１参照）。
【０００４】
尚、吸引式の煙検知装置は、サーバ室等に設置されている空調機の冷媒ガスの漏れを検知するものとしても利用することができる。
【先行技術文献】
【特許文献】
【０００５】
【特許文献１】特許第３６４８３０７号公報
【発明の概要】
【発明が解決しようとする課題】
【０００６】
吸引式の煙検知装置は、吸引式ではない他の煙感知器や煙検知装置に比べて煙をより高感度で検知することができることから、一般に、電算機室等の重要設備のある空間に設置されることが多いが、その場合、火災の極めて初期の予兆段階から捉えて対処できるようにするために、煙が肉眼では確認できないような段階のものであっても、それを検知することができる程の高感度の設定で設置されている。
【０００７】
吸引式の煙検知装置がそのような高感度の設定で設置されている場合、火災を予兆段階で捉えることができるが、煙検知装置が作動した際に、検知した煙が肉眼では確認できない段階のものであると、その発生位置を肉眼で特定することはできない。従って、煙の発生位置として特定できるのは作動した煙検知装置の防護範囲までであり、さらに狭い範囲までの特定はできず、作動した煙検知装置の防護範囲全体を対象として必要な対処をせざるを得なかった。
【０００８】
尚、前記の特許文献１の発明は、吸引式の煙検知装置を備えた煙検知システムにおいて、アドレスの設定可能な煙検知装置を複数分散配置して設けることにより、煙の発生位置を特定することができるようにする技術を提案している。しかしながら、そのような技術によっても、煙の発生位置として特定できるのは分散配置された各煙検知装置の防護範囲までであり、さらに狭い範囲の特定ができないことに変わりはない。
【０００９】
この発明は、上記の事情に鑑み、肉眼では確認できない段階の煙であっても、その発生位置を狭い範囲で特定できる煙検知装置を提供することを目的とするものであり、又、そのようにできる煙の発生位置の特定方法を提供することを目的とするものである。
【課題を解決するための手段】
【００１０】
この発明は、先端側に空気を吸引するためのサンプリング孔を有し、基端側に可撓管が接続されたサンプリング管と、前記サンプリング管が前記可撓管を介して接続され、前記サンプリング管を介して吸引した空気中に含まれる煙を検知する吸引式の煙検知装置本体と、前記煙検知装置本体に電気的に接続されて電源を供給する電源部と、前記煙検知装置本体と前記電源部とを収納する収納部と、前記収納部に接続されて前記収納部を操作者の身体に保持するための保持部と、を備え、煙の発生位置を特定するのに使用される際に予め、前記煙検知装置本体は、防護空間に常時固定の装置として設けられる固定式の煙検知装置における煙検知装置本体の煙の検知感度よりも鈍い煙の検知感度に設定可能であることを特徴とする移動式の煙検知装置である。
【００１１】
又、この発明は、前記保持部は、前記収納部の左右にそれぞれ接続され、前記収納部を吊りながら操作者の左右の肩のそれぞれに前後方向に掛けられる一対のショルダーストラップを含み、前記収納部は、それら一対のショルダーストラップにより操作者の身体前方に保持されることを特徴とする移動式の煙検知装置である。
【００１２】
又、この発明は、前記保持部は、前記一対のショルダーストラップを操作者の身体の前方及び／又は後方において連結する連結ストラップを更に含むことを特徴とする移動式の煙検知装置である。
【００１３】
又、この発明は、前記サンプリング管は、操作者が煙検知時に把持する把持部であって、その形状によって操作者に前記サンプリング管の把持方向を一の方向にガイドする把持部を更に有するものであり、前記サンプリング孔が、前記把持部がガイドする前記サンプリング管の把持方向前方に面する側面に設けられていることを特徴とする移動式の煙検知装置である。
【００１４】
又、この発明は、前記サンプリング管は、操作者に気流方向を視認させる手段を更に有するものであることを特徴とする移動式の煙検知装置である。
【００１５】
又、この発明は、前記可撓管は、略Ｌ字状の継手を介して前記煙検知装置本体に接続されるものであることを特徴とする移動式の煙検知装置である。
【００１６】
又、この発明は、検知される煙の量を音声により操作者に報知する手段を更に備えていることを特徴とする移動式の煙検知装置である。
【００１７】
又、この発明は、所定時間の経過を音声により操作者に報知する手段を更に備えていることを特徴とする移動式の煙検知装置である。
【００１８】
又、この発明は、先端側に空気を吸引するためのサンプリング孔を有し、基端側に可撓管が接続されたサンプリング管と、前記サンプリング管が前記可撓管を介して接続され、前記サンプリング管を介して吸引した空気中に含まれる煙を検知する吸引式の煙検知装置本体と、前記煙検知装置本体に電気的に接続されて電源を供給する電源部と、前記煙検知装置本体と前記電源部とを収納する収納部と、前記収納部に接続されて前記収納部を操作者の身体に保持するための保持部と、を備える、移動式の煙検知装置を使用して煙の発生位置を特定する煙発生位置の特定方法であって、防護空間に常時固定の装置として設けられる固定式の煙検知装置が煙の発生を検知した後に、その防護空間において前記移動式の煙検知装置を使用して実行される段階として、前記移動式の煙検知装置の前記収納部を保持すると共に前記サンプリング管を把持し、その状態で煙を検知しながら前記移動式の煙検知装置の全体の位置又は前記サンプリング管自体の位置を移動させ、それに基づいて煙の発生位置を特定する段階を含み、前記煙の発生位置を特定する段階は、前記移動式の煙検知装置における煙検知装置本体の煙の検知感度を前記固定式の煙検知装置における煙検知装置本体の煙の検知感度よりも鈍くして実行されることを特徴とする煙発生位置の特定方法である。又、先端側に空気を吸引するためのサンプリング孔を有し、基端側に可撓管が接続されたサンプリング管と、前記サンプリング管が前記可撓管を介して接続され、前記サンプリング管を介して吸引した空気中に含まれる煙を検知する吸引式の煙検知装置本体と、前記煙検知装置本体に電気的に接続されて電源を供給する電源部と、前記煙検知装置本体と前記電源部とを収納する収納部と、前記収納部に接続されて前記収納部を操作者の身体に保持するための保持部と、を備え、煙の発生位置を特定するのに使用される際に予め、前記煙検知装置本体は、防護空間に常時固定の装置として設けられる固定式の煙検知装置における煙検知装置本体の煙の検知感度よりも鈍い煙の検知感度に設定可能である、移動式の煙検知装置を使用して煙の発生位置を特定する煙発生位置の特定方法であって、防護空間に常時固定の装置として設けられる固定式の煙検知装置が煙の発生を検知した後に、その防護空間において前記移動式の煙検知装置を使用して実行される段階として、前記移動式の煙検知装置の前記収納部を保持すると共に前記サンプリング管を把持し、その状態で煙を検知しながら前記移動式の煙検知装置の全体の位置又は前記サンプリング管自体の位置を移動させ、それに基づいて煙の発生位置を特定する段階を含むことを特徴とする煙発生位置の特定方法である。
【００１９】
又、この発明は、前記煙の発生位置を特定する段階は、予め前記移動式の煙検知装置における煙検知装置本体の煙の検知感度を前記固定式の煙検知装置における煙検知装置本体の煙の検知感度よりも鈍くして実行されることを特徴とする煙発生位置の特定方法である。
【００２０】
又、この発明は、前記煙の発生位置を特定する段階は、前記移動式の煙検知装置の全体の位置又は前記サンプリング管自体の位置を前記サンプリング孔を風上に向けながら移動させて実行されることを特徴とする煙発生位置の特定方法である。
【００２１】
又、この発明は、前記煙の発生位置を特定する段階は、前記サンプリング管を把持することにより、その把持方向前方に前記サンプリング孔を向かわせて実行されることを特徴とする煙発生位置の特定方法である。
【発明の効果】
【００２２】
この発明によると、移動式の煙検知装置の収納部を保持すると共にサンプリング管を把持し、その状態で煙を検知しながら移動式の煙検知装置の全体の位置又はサンプリング管自体の位置を移動させることができ、それにより煙の発生位置を特定することができるので、肉眼では確認できない段階の煙であっても、その発生位置を狭い範囲で特定することができる。
【００２３】
従って、この発明によると、肉眼では確認できない段階の煙であっても、その発生位置を狭い範囲で特定できる煙検知装置を提供することができ、又、そのような煙の発生位置の特定方法を提供することができる。
【図面の簡単な説明】
【００２４】
【図１】この発明の移動式の煙検知装置の実施形態の一例を示し、サンプリング管と保持部であるショルダーストラップとが接続された状態における装置全体の平面図（上面側）である。
【図２】同上を示し、サンプリング管とショルダーストラップが取り外された状態における装置全体の（ａ）が正面図（前面側）、（ｂ）が背面図（後面側）である。
【図３】同上を示し、サンプリング管とショルダーストラップが取り外された状態における装置全体の（ａ）が左側面図、（ｂ）が右側面図である。
【図４】同上を示し、サンプリング管のみを拡大して示した拡大図である。
【図５】同上を示し、サンプリング管が取り外されてはいるが、装置全体が身体に保持された状態における（ａ）が身体の前方から撮影した写真、（ｂ）が身体の後方から撮影した写真である。
【図６】同上を示すと共に、この発明の煙発生位置の特定方法の実施形態の一例を示した防護空間の概略図である。
【発明を実施するための形態】
【００２５】
この発明の実施形態を図１乃至図６に基いて説明する。
【００２６】
先ず、図１乃至図５に基いて、この発明の移動式の煙検知装置の実施形態の一例について説明する。
【００２７】
移動式煙検知装置１は、この発明の実施形態の煙検知装置の実施形態の一例であり、先端側に空気を吸引するためのサンプリング孔４ａを有し、基端側に可撓管３が接続されたサンプリング管４と、サンプリング管４が可撓管３を介して接続され、サンプリング管４を介して吸引した空気中に含まれる煙を検知する吸引式の煙検知装置本体５と、煙検知装置本体５に電源を供給する電源部６（図２参照）と、前記の煙検知装置本体５と電源部６とが収納される収納部７と、収納部７に接続されて収納部７を操作者の身体に保持するための保持部である左右一対のショルダーストラップ８とを備えている。
【００２８】
即ち、移動式煙検知装置１は、操作者がショルダーストラップ８により収納部７を保持すると共にサンプリング管４を把持し、その状態で煙を検知しながら装置全体又はサンプリング管４自体を移動させることができるようになっており、それにより煙の発生位置を特定することができるようになっている。
【００２９】
従って、移動式煙検知装置１によれば、発生した煙が肉眼では確認できない段階のものであっても、その発生位置を狭い範囲で特定することができる。
【００３０】
これにより、移動式煙検知装置１は、例えば、電算機室等の固定式の煙検知装置が設けられている防護空間において煙の発生位置を特定するのに利用可能なものであるが、発生位置を特定する煙が肉眼では確認できない段階のものであり、固定式の煙検知装置によっては作動した煙検知装置の防護範囲内にある電算機等の全てを対象としてしか対処できないような段階のものであっても、前記のように煙の発生位置を狭い範囲で特定することができることで、狭い範囲内にある電算機等のみを対象として対処すれば足りるようにすることができ、対処に要する時間を格段に短縮することができると共に、対象外の電算機等は使用を継続することができる。
【００３１】
本実施形態の移動式煙検知装置１について、各構成部分を更に詳細に説明する。
【００３２】
収納部７は、下面が開放された収納部蓋体７ａと、上面が開放された収納部本体７ｂとからなり、全体として箱状をなすものとなっている。尚、収納部蓋体７ａは、図２に示したように、収納部蓋体７ａの前面と収納部本体７ｂの前面との間に設けられている左右一対のヒンジ部材７ｃによって収納部本体７ｂに開閉可能に取り付けられており、又、収納部蓋体７ａの後面と収納部本体７ｂの後面との間に設けられている左右一対のロック部材７ｄによって閉状態が保持可能なものとなっている（ヒンジ部材７ｃとロック部材７ｄを設ける面については適宜変更することができ、設ける面の前後を逆にしてもよい。）。
【００３３】
収納部７において、収納部蓋体７ａ内には煙検知装置本体５が収納されており、収納部本体７ｂ内には電源部６が収納されているが、本実施形態において、収納部蓋体７ａは、前記の通り下面が開放されたものとなっているので、内部に煙検知装置本体５を固定するための固定部材として、本実施形態においては、図２及び図３に示したように、左右一対のＬ字状の固定部材１１であって、収納部蓋体７ａの左右の側面にネジ１１ａによって固定される側面部と、煙検知装置本体５の底部が固定される底面部とを有する左右一対のＬ字状の固定部材１１が設けられており、それにより下面が開放されたものとなっていても、煙検知装置本体５を収納することができるようになっており、又、その位置を固定することができるようになっている。尚、収納部本体７ｂは、底面に電源部７を固定するためのベルト状の固定部材１２が設けられており、それにより電源部６の位置を固定することができるようになっている（図２参照）。
【００３４】
又、収納部蓋体７ａは、煙検知装置本体５を収納し、その上面側を天板部７ｅによって覆うものとなっているが、天板部７ｅには煙検知装置本体５の上面に設けられている表示部５ａに対応する位置に表示窓７ｆが設けられており、その表示窓７ｆを通して煙検知装置本体５の表示部５ａに表示される測定結果等を視認することができるようになっている。
【００３５】
収納部蓋体７ａにおいて、その前面には可撓管３が挿通される挿通口７ｇが設けられており、その挿通口７ｇに可撓管３の基端側が挿通されて煙検知装置本体５の吸気口５ｃに接続されることにより、前記サンプリング管４は可撓管３を介して煙検知装置本体５に接続されたものとなっている。尚、可撓管３の基端側は、Ｌ字形の継手を用いて煙検知装置本体５の吸気口５ｃに接続してもよく、そうすることで可撓管３が前方に突出する量を少なくすることができ、よりコンパクトにすることができる。
【００３６】
又、収納部本体７ｂにおいて、左右の側面には複数の穴が形成されてなる放熱板部７ｈが設けられており（図３参照）、それにより内部に収納される電源部６の熱を外部に放出したり、吸引した空気を排出したりすることができるようになっている。尚、電源部６としては、本実施形態にいては充電池を用いている。収納部蓋体７ａの後面には、この蓄電池である電源部６へ充電をするために電源ケーブの挿通口７ｋが設けられている。
【００３７】
尚、収納部７には、左右一対のショルダーストラップ８を接続するための環状の接続部材が設けられており、本実施形態においては、その接続部材として、収納部蓋体７ａの左右の側面の前面側の位置する上部接続部材７ｉと、収納部本体７ｂの左右の側面の後面側に位置する下部接続部材７ｊとの４つが設けられている。
【００３８】
サンプリング管４は、図４の拡大図によって詳細が理解されるように、直筒状をなす樹脂製の硬質パイプによって形成されており、サンプリング孔４ａが軸方向に沿って直列に等間隔で配置されて複数個（本実施形態においては５個であるが、その数は適宜変更してもよい。）形成されたものとなっている。このサンプリング管４において、可撓管３が接続される基端側には操作者がサンプリング管４を把持するための把持部４ｂが設けられている。把持部４ｂは、操作者によるサンプリング管４の把持方向を一の方向にガイドする形状を有しており、サンプリング孔４ａは、把持部４ｂがガイドするサンプリング管４の把持方向の前方（矢印４Ａ方向）に向かう側面に設けられている。これにより、操作者が把持部４ｂによりサンプリング管４を把持すれば、全てのサンプリング孔４ａを自動的に把持方向の前方に向かわせることができるようになっている。尚、このサンプリング管４には、後記で図６に基づいて詳細に説明するが、防護空間の気流方向を操作者に視認させる手段を設けてもよい。
【００３９】
可撓管３は、サンプリング管４を自在に移動させることができるように柔軟な材料によって形成されている。この可撓管３については、螺旋状のものとしてもよく、螺旋状のものにすれば、伸縮させることもでき、サンプリング管４をより自在に移動させることができる。
【００４０】
左右一対のショルダーストラップ８は、それぞれ開閉機構付きの先端接続部材８ａと基端接続部材８ｂとを有しており、先端接続部材８ａが収納部７の左右側面の上部接続部材７ｉにそれぞれ接続されると共に、基端接続部材８ｂが収納部７の左右側面の下部接続部材７ｊにそれぞれ接続されるものとなっており、収納部７の左右側面にそれぞれループ状をなすように接続されるものとなっている。これにより、図５（ａ）の写真に示したように、収納部７を吊りながら、操作者の左右の肩のそれぞれに前後方向に掛けられるようになっており、収納部７を操作者が抱き込むように前方に保持することができるようになっている。尚、左右一対のショルダーストラップ８には、図５（ａ）、（ｂ）の写真に示したような肩パッドをそれぞれ設けてもよい。
【００４１】
更に、本実施形態においては、左右一対のショルダーストラップ８を操作者の前方で連結するための左右一対の連結ストラップ９と操作者の後方で連結する左右一対の連結ストラップ１０とが左右一対のショルダーストラップ８のそれぞれに接続されて設けられている。これら左右一対の連結ストラップ９と連結ストラップ１０は、それぞれ互いを離接可能にするバックル部９ａ、９ｂとバックル部１０ａ、１０ｂとをそれぞれ有しており、それらを互いに接続することで、図５（ａ）及び（ｂ）の写真に示したように、操作者の前方と後方とで左右一対のショルダーストラップ８を連結することができるようになっており、ショルダーストラップ８を身体によりフィットさせ、より確実に収納部７を保持することができるようになっている。尚、左右一対の連結ストラップ９も、左右一対の連結ストラップ１０も、一方のバックル部９ｂ、１０ｂまでの長さを調整するための調整部材をそれぞれ有しており、他方のバックル部９ａ、１０ａとの接続時の長さを調整することができるようになっている。
【００４２】
ここで、煙検知装置本体５の機器構成及び煙検知のメカニズムについて簡単に説明する。煙検知装置本体５は、前記の通り吸引式のものであり、図示は省略するが、煙を光学的に検知するための煙検出ユニットと、空気をサンプリング管４を介して吸引して煙検出ユニット内の検煙部を通過させるためのファンとを内部に備え、吸引した空気が煙検出ユニット内の検煙部を通過する際に、空気中に煙が含まれていると、それを光学的に検知（散乱光の検知）することができるようになっている。尚、煙検知装置本体５において、煙検出ユニットは煙を光学的に検知するために発光素子と受光素子とを有するが、その発光素子の光源としてレーザを用いることにより、極めて高い感度で煙を検知することが可能である。
【００４３】
更に、煙検知装置本体５の表示部５ａは、前記の通り収納部７の表示窓７ｆを通して目視により確認することができるようになっているが、表示部５ａには検知される煙の量を段階的に表示するバーグラフ５ｂが設けられており、そのバーグラフ５ｂにより検知される煙の量を確認することができるようになっている。即ち、バーグラフ５ｂにより検知される煙の量を確認することにより、煙の発生位置を特定することができるようになっている。尚、煙検知装置本体５は、図示は省略するが、煙検知の感度を変更する感度調節手段も備えており、適宜、煙検知の感度を変更することができるようになっており、例えば、煙の発生位置に近づくのに従って煙の検知量が増大するのに対応して、煙検知の感度を低く（鈍く）変更し、表示部５ａによる表示スケールの倍率を変更したりすることができるようになっており、それにより煙の発生位置をより狭い範囲で特定することができるようになっている。
【００４４】
次に、図６に基いて、この発明の煙発生位置の特定方法の実施形態の一例について説明する。
【００４５】
この発明の煙発生位置の特定方法は、図６に示したように、例えば、固定式の装置である固定式煙検知装置１００が設けられている電算機室Ｒ等において、前記の移動式煙検知装置１を利用して実行することができる。
【００４６】
ここで、固定式煙検知装置１００について簡単に説明する。固定式煙検知装置１００は、空調機１０３によって矢印で示したように循環される電算機室Ｒ内の空気を吸引するためのサンプリング孔を有するサンプリング管１０２と、サンプリング管１０２を介して吸引した空気中の煙を検知する吸引式の煙検知装置本体１０１とを備え、それらが電算機室Ｒ内の床下空間内に循環される気流の流路中に配置され、防護空間である電算機室Ｒに常時固定の装置として設けられている。尚、固定式煙検知装置１００における煙検知装置本体１０１の機器構成等は、前記の移動式煙検知装置１における煙検知装置本体５と同様のものとすることができる。
【００４７】
電算機室Ｒにおいて、何れかのラック１０４の電算機から煙が発生すると、先ず、固定式煙検知装置１００がその煙を検知する。固定式煙検知装置１００により検知された煙が肉眼では確認できない段階のものであると、固定式煙検知装置１００によって特定することができる煙の発生位置はその防護範囲までであるが、前記の移動式煙検知装置１を利用することにより煙の発生位置を狭い範囲で特定することができる。
【００４８】
即ち、電算機室Ｒにおいて、煙が発生した際、常時固定の装置として設けられる固定式煙検知装置１００が煙の発生を検知した後に、図６に示したように、前記移動式煙検知装置１の収納部７をショルダーストラップ８により身体に保持すると共にサンプリング管４の把持部４ｂを把持し、その状態で煙を検知しながら電算機室Ｒ内において移動式の煙検知装置１の全体の位置又はサンプリング管４自体の位置を移動させることにより、煙の発生地位置を特定する。具体的には、煙を検知しながら各ラック１０４に向けて煙検知装置１の全体をの位置を移動させたり、各ラック１０４内においてサンプリング管４自体の位置を移動させ、煙検知装置本体５の表示部５ａに表示される検知される煙の量等に基づいて煙の発生位置を特定する。これにより、発生した煙が肉眼では確認できない段階のものであっても、煙の発生位置を狭い範囲で特定することができる。尚、予め固定式煙検知装置１００の煙検知装置本体１０１よりも移動式煙検知装置１の煙検知装置本体５の感度を鈍く（例えば、固定式のものが作動する煙濃度の２．５倍で作動するようにする。）設定して、前記の移動式煙感知装置１による煙の発生位置を特定する段階を実行することができる。
【００４９】
尚、図６に示した例において、移動式煙検知装置１のサンプリング管４の先端には、拡大図によって詳細が理解されるように、防護空間の気流によって風下になびく吹き流し部４ｃが設けられたものとなっている。吹き流し部４ｃが設けられていることにより、防護空間の気流の向き（各ラック１０４内の気流の向きを含む）を確認することができ、サンプリング孔４ａを風上に向けた状態で煙を検知しながら移動式煙検知装置１の全体又はサンプリング管４自体を移動させることができるものとなっている。又、煙の発生位置を特定する場合にも調査対象物が風上になるように容易に確認することができる。
【００５０】
以上、この発明の実施形態について詳細に説明したが、この発明は上記の実施形態に限定されるものではなく、この発明の要旨の範囲内で種々の変更等が可能である。
【００５１】
例えば、電算機室Ｒにおいて、固定式煙検知装置１００はアドレス設定可能なものにして、それを複数設けるようにしてもよく、移動式煙検知装置１を移動させる範囲を作動した固定式煙検知装置１００の防護範囲に絞った上で、移動式煙検知装置１による煙の発生位置を特定する段階を実行するようにしてもよい。
【００５２】
又、移動式煙検知装置１によって煙の発生位置を特定する段階を実行する際、煙の検知感度を変更しながら実行してもよく、例えば、前記したように、感度調節手段によって、煙の発生位置に近づくのに従って煙の検知量が増大するのに対応し、煙検知の感度を低く変更して、表示部５ａによる表示スケールの倍率を変更し、それにより煙の発生位置をよりスムーズにより狭く特定することができるようにしてもよい。
【００５３】
又、移動式煙検知装置１によって煙の発生位置を特定する段階を実行する際、前記サンプリング管４の位置を移動させ、その位置で所定時間停止した後に火災の発生位置か否かを判断するようにしてもよい。その場合、例えば、サンプリング管４の把持部４ｂにタイマと音響部とを設け、サンプリング管４の移動を停止させた時にタイマを起動させ、所定時間の経過を音声等により操作者に報知するようにしてもよい。
【００５４】
又、移動式煙検知装置１によって煙の発生位置を特定する段階を実行する際、検知される煙の量を音声によって操作者に報知するようにしてもよい（例えば、煙検知装置本体５に煙の検知量に応じて信号音の音量を大小に変化させて出力する音声出力部を設け、それにより操作者に報知するようにしてもよい。）。
【符号の説明】
【００５５】
１：移動式煙検知装置  ３：可撓管  ４：サンプリング管
４ａ：サンプリング孔  ４ｂ：把持部  ４ｃ：吹き流し部
４Ａ：把持方向前方  ５：煙検知装置本体  ５ａ：表示部
５ｂ：バーグラフ  ５ｃ：吸気口部  ６：電源部
７：収納部  ７ａ：収納部蓋体  ７ｂ：収納部本体
７ｃ：ヒンジ部  ７ｄ：ロック部  ７ｅ：天板部  ７ｆ：表示窓
７ｇ：挿通口（可撓管用）  ７ｈ：放熱板部
７ｉ：上部接続部材  ７ｊ：下部接続部材  ７ｋ：挿通口（電源ケーブル用）
８：ショルダーストラップ  ８ａ：先端接続部材  ８ｂ：基端接続部材
９：連結ストラップ（前方）  ９ａ：バックル部  ９ｂ：バックル部
１０：連結ストラップ（後方）  １０ａ：バックル部  １０ｂ：バックル部
１１：固定部材  １１ａ：ネジ  １２：固定部材
１００：固定式煙検知装置  １０１：煙検知装置本体
１０２：サンプリング管  １０３：空調機  １０４：ラック
Ｒ：電算機室 
【図１】
2018022536.tif 000003
【図２】
2018022536.tif 000004
【図３】
2018022536.tif 000005
【図４】
2018022536.tif 000006
【図５】
2018022536.tif 000007
【図６】
2018022536.tif 000008